(57)【要約】【課題】  携帯電話端末及びマルチメディアスピーカーと結合し、特に各種ブランドの携帯電話と接続し充電、再生、ハンズフリーによる使用及び各種マルチメディア音声再生機能を達成する多機能音声効果補助装置を提供する。【解決手段】  主に各式携帯電話端末を設置及び連接可能な本体ベースを利用し、該本体ベース上にはＵＳＢ連接端、電源入力端、低音スピーカー出力端を設置し、該本体ベースは左右対称なスピーカーセットを連接し、各種ブランドの携帯電話端末或いはマルチメディア再生装置と連接することで、充電或いはハンズフリー或いは音声効果補助機能を達成する。【選択図】  図１
0003127386.tif 000002
【実用新案登録請求の範囲】
【請求項１】
主に本体ベースと1組の左右対称なスピーカーセットを含み、
該本体ベースの適当な位置には各式携帯電話端末を設置可能な設置凹槽を設置し、該設置凹槽内には可動連接台が設置可能で、該可動連接台は各ブランドの携帯電話端末及び該本体ベースと電気的に連接し、しかも該本体ベース上には音量調整ボタン、マイク、音声効果入力端子、ＵＳＢ連接端、電源入力端、低音スピーカー出力端を設置し、
該スピーカーセットは該本体ベースと連接し、こうしてシンプルなコンピュータマルチメディアスピーカーセット、或いは、対応する携帯電話端末ブランドの可動連接台を選択することで、該携帯電話端末を該可動連接台上に設置し、該本体ベースと連接可能とし、充電或いはハンズフリー或いはマルチメディア音声効果再生などの音声効果補助機能を達成することを特徴とする多機能音声効果補助装置。
【請求項２】
前記スピーカーセットの音声効果連接端子は収納及び延伸式の音声効果連接端子であり、使用時には該スピーカーセットを該本体ベース両側より外に向けて離すことができることを特徴とする請求項１記載の多機能音声効果補助装置。
【考案の詳細な説明】
【技術分野】
【０００１】
本考案は、一種の携帯電話とマルチメディアスピーカーを結合する多機能音声効果補助装置に関する。特に一種の各種ブランドの携帯電話と接続し充電、再生、ハンズフリーによる使用及び各種マルチメディア音声再生機能に適した音声効果補助装置に係る。
【背景技術】
【０００２】
一般の携帯電話端末の充電器、ハンズフリー装置、音響スピーカーセットなどは、みなそれぞれ独立した設備或いは装置に属する。しかも大多数は単一機能だけを具えるため、使用機能及び応用範囲は制限されている。
現在IT業界で広く使用されているＵＳＢ及びＭＰ３などの関連製品には、ＵＳＢ接続による携帯電話端末を充電する充電器、ＵＳＢ接続によりイヤホーンを通して音楽をダウンロードし再生などを行うＭＰ３装置、ＵＳＢ接続によりスピーカーセットを通して音楽を再生するスピーカーなどがある。しかし、製品の多くは単一目的向けに単一の使用機能を具えるタイプである。
【特許文献１】実用新案登録第３０８３５８２号公報
【考案の開示】
【考案が解決しようとする課題】
【０００３】
公知構造には以下の欠点があった。
すなわち公知の携帯電話端末の充電器、ハンズフリー装置、音響スピーカーセットなどは独立した設備或いは装置で、単一機能だけを具えるため、使用機能及び応用範囲は制限されており、現在広く普及しているＵＳＢ及びＭＰ３などの関連製品も、多くは単一目的向けに単一の使用機能だけを具えるタイプである。
本考案は上記構造の問題点を解決した多機能音声効果補助装置を提供するものである。
【課題を解決するための手段】
【０００４】
上記課題を解決するため、本考案は、それは主に携帯電話端末とマルチメディアスピーカーを結合する多機能音声効果補助装置を提供し、すなわち、それは各式携帯電話端末を設置及び連接可能な本体ベースを利用し、該本体ベース上にはＵＳＢ連接端、電源入力端、低音スピーカー出力端を設置し、該本体ベースは左右対称なスピーカーセットを連接し、携帯電話端末或いはマルチメディア再生装置と連接することで、充電或いはハンズフリー或いは音声効果補助機能を達成し、また、それは、各種ブランドの携帯電話端末について、充電、ハンズフリー、マルチメディア音声効果再生などの音声効果補助機能を達成し、使用を選択する可動連接台により各ブランドの携帯電話端末と連接し、該可動連接台上には各式連接ジョイントを設置し、各ブランドの携帯電話端末と電気的に連接し、充電或いはハンズフリー或いはマルチメディア音声効果再生などの機能を達成することを特徴とする多機能音声効果補助装置である。
【０００５】
すなわち、請求項１の考案は、主に本体ベースと1組の左右対称なスピーカーセットを含み、該本体ベースの適当な位置には各式携帯電話端末を設置可能な設置凹槽を設置し、該設置凹槽内には可動連接台が設置可能で、該可動連接台は各ブランドの携帯電話端末及び該本体ベースと電気的に連接し、しかも該本体ベース上には音量調整ボタン、マイク、音声効果入力端子、ＵＳＢ連接端、電源入力端、低音スピーカー出力端を設置し、該スピーカーセットは該本体ベースと連接し、こうしてシンプルなコンピュータマルチメディアスピーカーセット、或いは、対応する携帯電話端末ブランドの可動連接台を選択することで、該携帯電話端末を該可動連接台上に設置し、該本体ベースと連接可能とし、充電或いはハンズフリー或いはマルチメディア音声効果再生などの音声効果補助機能を達成することを特徴とする多機能音声効果補助装置である。
請求項２の考案は、前記スピーカーセットの音声効果連接端子は収納及び延伸式の音声効果連接端子であり、使用時には該スピーカーセットを該本体ベース両側より外に向けて離すことができることを特徴とする請求項１記載の多機能音声効果補助装置である。
【考案の効果】
【０００６】
本考案によれば、スピーカー、充電器、ハンズフリー装置、音声再生装置などの製品の機能を結合することができ、各種ブランドの携帯電話端末と接続し、充電、再生、ハンズフリー使用を提供し、さらに音声入力端子或いはＵＳＢ接続端を経由し接続可能で、多機能音声効果補助機能を達成することができる。
【考案を実施するための最良の形態】
【０００７】
本考案の多機能音声効果補助装置の好適な実施例を図面を参照して説明する。
図１、２に示すように、本考案の実施例の多機能音声効果補助装置は主に本体ベース１と1組のスピーカーセット２、３を含む。
次に、該本体ベース１の適当な位置には各式携帯電話端末を設置可能な設置凹槽１１を設置し、該設置凹槽１１には連接端１１１を設置する(図２、図７参照)。図３〜６に示すように、該設置凹槽１１内には可動連接台１２を設置し、該可動連接台１２両面には該設置凹槽１１の連接端と電気的に連接する単一化連接端１２１、及び異なるブランドの携帯電話端末４の連接端４１と対応し連接する応変連接端１２２をそれぞれ設置する。
この各種のブランドに対応した可動連接台１２を選択して取り替えることにより、各種ブランドの携帯電話端末４と電気的に連接する可動連接台１２は、該本体ベース１の設置凹槽１１中に設置され、該本体ベース１と連接する。
【０００８】
前記可動連接台１２の前縁にはソニーエリクソン(登録商標)などの該携帯電話端末４のブランドシール１２３を設置し、こうして、各ブランド携帯電話端末４を区別し、該可動連接台１２の該単一化連接端１２１と該応変連接端１２２により、該本体ベース１と該携帯電話端末４は電気的に連接する。
該本体ベース１前方位置には音量調整ボタン１３とマイク１４を設置する。一方、該本体ベース１上には音声効果入力端子１５、ＵＳＢ連接端１６、電源入力端１７、低音スピーカー出力端１８を設置し、充電或いはハンズフリー或いはマルチメディア音声効果再生などの音声効果補助機能を達成する。  
該本体ベース１の両側上にはスピーカー連接端孔１９を設置し、対応する２個のスピーカーセット２、３を設置する。該スピーカーセット２、３の音声効果連接端子２１、３１により該スピーカー連接端孔１９を連接し、該スピーカーセット２、３と該本体ベース１の連接機能を達成する。
【０００９】
上記構造により、本考案の実施例は、該音声効果入力端子１５或いはＵＳＢ連接端１６によりコンピュータの音声効果出力端、携帯電話端末音声効果出力端、ＵＳＢ連接端に連接し、該電源入力端１７により電源を入力し、こうしてシンプルなコンピュータマルチメディアスピーカーセットとすることができる。
このように各種携帯電話と接続し、携帯電話端末の充電、再生、ハンズフリーによる使用、及び、各種マルチメディア音声再生機能を有する。
本発明の実施例の特徴は、対応する携帯電話端末ブランドの可動連接台１２を選択することで、該携帯電話端末を該可動連接台１２上に設置可能となり、該単一化連接端１２１と該本体ベース１の連接を通して、充電或いはハンズフリー或いはマルチメディア音声効果再生などの音声効果補助機能を達成することである。
上記スピーカーセット２、３の音声効果連接端子２１、３１は収納及び延伸式の音声効果連接端子であるため、使用時には該スピーカーセット２、３を延伸のためのコード等により該本体ベース１の両側より外に向けて離すことができる。
【図面の簡単な説明】
【００１０】
【図１】本考案の組合せ立体図である。
【図２】本考案の部分分解立体図である。
【図３】本考案の組合せ前面図である。
【図４】本考案の組合せ後の後面図である。
【図５】本考案の組合せ俯瞰図である。
【図６】本考案の組合せ側面図である。
【図７】本考案実施例の組合せ側面指示図である。
【符号の説明】
【００１１】
１  本体ベース
１１  設置凹槽
１１１  連接端
１２  可動連接台
１２１  単一化連接端
１２２  応変連接端
１２３  ブランドシール
１３  音量調整ボタン
１４  マイク
１５  音声効果入力端子
１６  ＵＳＢ連接端
１７  電源入力端
１８  低音スピーカー出力端
１９  スピーカー連接端孔
２  スピーカーセット
２１  音声効果連接端子
３  スピーカーセット
３１  音声効果連接端子
４  携帯電話
【図１】
0003127386.tif 000003
【図２】
0003127386.tif 000004
【図３】
0003127386.tif 000005
【図４】
0003127386.tif 000006
【図５】
0003127386.tif 000007
【図６】
0003127386.tif 000008
【図７】
0003127386.tif 000009